【手続補正書】
【提出日】平成28年1月7日(2016.1.7)
【手続補正１】
【補正対象書類名】特許請求の範囲
【補正対象項目名】全文
【補正方法】変更
【補正の内容】
【特許請求の範囲】
【請求項１】
所定期間中に有利度を変化させることが可能な遊技機であって、
前記所定期間中に、当該所定期間の残り期間を示唆する期間示唆演出を実行する期間示唆演出実行手段と、
前記所定期間中に、第１遊技演出と、第２遊技演出とを含む複数種類の遊技演出のうちいずれかを実行するものであって、当該第２遊技演出を実行しているときの方が当該第１遊技演出を実行しているときよりも有利度合いが高くなるように前記遊技演出を実行する遊技演出実行手段と、
前記有利度に基づき、前記遊技演出を前記第１遊技演出と前記第２遊技演出との間で切換える演出切換手段と、
前記遊技演出の切換えが行なわれることを示唆する切換示唆演出を実行する切換示唆演出実行手段と、
前記期間示唆演出によって示唆された前記残り期間が特定期間以下であるときには前記切換示唆演出実行手段による前記切換示唆演出の実行を禁止する禁止手段とを備える、遊技機。
【手続補正２】
【補正対象書類名】明細書
【補正対象項目名】０００７
【補正方法】変更
【補正の内容】
【０００７】
（１）  所定期間（たとえば、スロットマシン１におけるＡＴ、パチンコ遊技機１５０における時短制御期間）中に有利度（たとえば、スロットマシン１における通常ＡＴと有利ＡＴによるナビストックの当選確率と付与数の差、パチンコ遊技機１５０における時短制御期間中の確変状態への制御の有無）を変化させることが可能な遊技機（たとえば、スロットマシン１、パチンコ遊技機１５０）であって、
前記所定期間中に、当該所定期間の残り期間（たとえば、スロットマシン１におけるＡＴゲーム数の残りゲーム数、パチンコ遊技機１５０における特別図柄ゲーム数の残りゲーム数）を示唆する期間示唆演出（たとえば、スロットマシン１におけるＡＴゲーム数報知演出、パチンコ遊技機１５０における特別図柄ゲーム数報知演出）を実行する期間示唆演出実行手段（たとえば、スロットマシン１におけるサブ制御部９１による処理、パチンコ遊技機１５０における演出制御用マイクロコンピュータによる処理）と、
前記所定期間中に、第１遊技演出（通常演出）と、第２遊技演出（有利演出）とを含む複数種類の遊技演出（背景演出）のうちいずれかを実行するものであって、当該第２遊技演出を実行しているときの方が当該第１遊技演出を実行しているときよりも有利度合い（たとえば、スロットマシン１における有利ＡＴに制御されている期待値、パチンコ遊技機１５０おける確変状態に制御されている期待値）が高くなるように前記遊技演出を実行する遊技演出実行手段（たとえば、スロットマシン１におけるサブ制御部９１によるＡＴ中演出処理、パチンコ遊技機１５０における演出制御用マイクロコンピュータによる処理）と、
前記有利度に基づき、前記遊技演出を前記第１遊技演出と前記第２遊技演出との間で切換える演出切換手段（たとえば、スロットマシン１におけるサブ制御部９１によるＡＴ状態抽選処理、パチンコ遊技機１５０における演出制御用マイクロコンピュータによる処理）と、
前記遊技演出の切換えが行なわれることを示唆する切換示唆演出（予告演出）を実行する切換示唆演出実行手段（たとえば、スロットマシン１におけるサブ制御部９１によるＡＴ中演出処理、パチンコ遊技機１５０における演出制御用マイクロコンピュータによる処理）と、
前記期間示唆演出によって示唆された前記残り期間が特定期間以下（たとえば、残り５ゲーム以下）であるときには前記切換示唆演出実行手段による前記切換示唆演出の実行を禁止する禁止手段（たとえば、スロットマシン１におけるサブ制御部９１によるＡＴ中演出処理のステップＳ４２０、図２３、パチンコ遊技機１５０における演出制御用マイクロコンピュータによる処理、図２７）とを備える。
【手続補正３】
【補正対象書類名】明細書
【補正対象項目名】００１１
【補正方法】変更
【補正の内容】
【００１１】
（３）  上記（１）または（２）の遊技機において、
前記禁止手段は、前記期間示唆演出によって示唆された前記残り期間が特定期間以下であるときには前記切換示唆演出実行手段による前記第１遊技演出から前記第２遊技演出への切換え（通常背景から有利背景への切換え）が行なわれることを示唆する切換示唆演出の実行を禁止する。
【手続補正４】
【補正対象書類名】明細書
【補正対象項目名】００１２
【補正方法】変更
【補正の内容】
【００１２】
このような構成によれば、期間示唆演出によって示唆された所定期間の残り期間が特定期間以下であるときには第１遊技演出から有利度合いの高い第２遊技演出への切換えが行なわれることを示唆する切換示唆演出の実行が禁止されるため、所定期間の終盤で有利度合いの高い遊技演出に切換わる旨が示唆されることがなく、遊技者に所定期間中の遊技を最後まで満足に消化させることができる。
【手続補正５】
【補正対象書類名】明細書
【補正対象項目名】００１５
【補正方法】変更
【補正の内容】
【００１５】
（５）  上記（１）〜（４）の遊技機において、
前記期間示唆演出実行手段は、前記期間示唆演出において、前記残り期間が特定期間以下となったこと（たとえば、スロットマシン１におけるＡＴ報知器６０の点滅）を示唆する。
【手続補正６】
【補正対象書類名】明細書
【補正対象項目名】００１７
【補正方法】変更
【補正の内容】
【００１７】
（６）  上記（１）〜（５）の遊技機において、
前記所定期間に制御するための権利（たとえば、スロットマシン１におけるナビストック）を付与する権利付与手段（たとえば、スロットマシン１におけるサブ制御部９１によるナビストック数抽選処理）と、
前記所定期間中に前記権利が有ることを示唆する特定演出（たとえば、スロットマシン１におけるナビストック示唆演出）を実行する特定演出実行手段（たとえば、スロットマシン１におけるサブ制御部９１によるＡＴ中演出処理）とをさらに備え、
前記禁止手段は、前記特定演出によって前記権利が有ることが示唆されているときには前記切換示唆演出実行手段による切換示唆演出の実行を禁止し（たとえば、スロットマシン１におけるサブ制御部９１によるＡＴ中演出処理のステップＳ４５５、図２４）、
前記切換示唆演出実行手段は、前記権利に基づき所定期間が追加制御されたとき（たとえば、スロットマシン１における示唆されたナビストックに基づくＡＴが開始されたとき）に前記切換示唆演出を実行する（たとえば、スロットマシン１におけるサブ制御部９１によるＡＴ中演出処理のステップＳ４６０、図２４）。
【手続補正７】
【補正対象書類名】明細書
【補正対象項目名】０３８５
【補正方法】変更
【補正の内容】
【０３８５】
なお、図２３で示したタイミングチャートでは、通常ＡＴでＡＴ状態抽選に当選すると即座に遊技状態が通常ＡＴから有利ＡＴに変化するとともに予告演出が実行され、その予告演出の実行後に背景演出が通常演出から有利演出に切り替わる。つまり、実際に遊技状態が有利ＡＴに切り替わった後、遅れて背景演出が有利ＡＴに対応したものに切り替わっている。しかしながら、これに代えて、遊技状態が有利ＡＴに切り替わるタイミングに併せて背景演出も有利ＡＴに対応する有利演出に切り替わるようにしてもよい。たとえば、ＡＴ状態抽選に当選すると、遊技状態を有利ＡＴに切り換える前に予告演出を実行し、その後に、背景演出を有利演出に切り換えるとともに遊技状態を有利ＡＴに切り換えるようにすることが考えられる。
【手続補正８】
【補正対象書類名】明細書
【補正対象項目名】０３８６
【補正方法】変更
【補正の内容】
【０３８６】
同様に、図２３で示したタイミングチャートでは、有利ＡＴでＡＴ状態抽選に当選すると即座に遊技状態が有利ＡＴから通常ＡＴに変化するとともに予告演出が実行され、その予告演出の実行後に背景演出が有利演出から通常演出に切り替わる。つまり、実際に遊技状態が通常ＡＴに切り替わった後、遅れて背景演出が通常ＡＴに対応したものに切り替わっている。しかしながら、これに代えて、遊技状態が通常ＡＴに切り替わるタイミングに併せて背景演出も通常ＡＴに対応する通常演出に切り替わるようにしてもよい。たとえば、ＡＴ状態抽選に当選すると、遊技状態を通常ＡＴに切り換える前に予告演出を実行し、その後に、背景演出を通常演出に切り換えるとともに遊技状態を通常ＡＴに切り換えるようにすることが考えられる。
【手続補正９】
【補正対象書類名】明細書
【補正対象項目名】０４９２
【補正方法】変更
【補正の内容】
【０４９２】
また、たとえば、第２実施形態に係るパチンコ遊技機１５０であれば、「有利度」は、時短状態を有利度が高く、非時短状態を有利度が低いものであると設定して、時短状態への制御の有無によって有利度を変化させるものであってもよい。